(57)【要約】  地図表示装置は、表示モニタに地図を表示する地図表示制御部と、気象情報を受信する気象情報受信部と、受信した気象情報を地図に重ねて表示する気象情報表示制御部とを備え、表示モニタの１つの画素に対応する地図上の領域に複数の地域の気象情報が存在する場合、複数の地域の気象情報の中で、気象情報に係る数値が最大の気象情報を有する地域の気象情報を画素に表示する。
2009122588.tif 000002
【特許請求の範囲】
【請求項１】
表示モニタに地図を表示する地図表示制御部と、
気象情報を受信する気象情報受信部と、
前記受信した気象情報を前記地図に重ねて表示する気象情報表示制御部とを備え、
前記表示モニタの１つの画素に対応する地図上の領域に複数の地域の気象情報が存在する場合、前記複数の地域の気象情報の中で、気象情報に係る数値が最大の気象情報を有する地域の気象情報を前記画素に表示する地図表示装置。
【請求項２】
請求項１に記載の地図表示装置において、
前記気象情報受信部により受信した気象情報の中から前記表示モニタに表示される範囲の気象情報を抽出する気象情報抽出部を備え、
前記気象情報表示制御部は、前記抽出した気象情報に基づいて気象情報を前記地図に重ねて表示し、前記地図がスクロールされているときは、既に抽出されている気象情報に基づいて気象情報を地図に重ねて表示する地図表示装置。
【請求項３】
請求項１または２に記載の地図表示装置において、
前記気象情報は、単位時間当たりの雨量、積算総雨量、風向き、風力、気温、湿度、単位時間当たりの日照時間、気圧、湿度のいずれかである地図表示装置。
【発明の詳細な説明】
【技術分野】
【０００１】
本発明は、気象情報を地図に重ねて表示する地図表示装置に関する。
【背景技術】
【０００２】
気象情報センタから取得した地域ごとの降水量を地図上の対応する位置に表示する地図表示装置が従来技術として知られている（たとえば、特許文献１）。
【特許文献１】特開２００３−１２１１７２号公報
【発明の開示】
【発明が解決しようとする課題】
【０００３】
特許文献１に記載されているような地図表示装置では、広域地図を表示した場合、気象情報センタから取得した地域ごとの降水量を地図上に、どのように表示するかが問題となる。
【課題を解決するための手段】
【０００４】
本発明による地図表示装置は、表示モニタに地図を表示する地図表示制御部と、気象情報を受信する気象情報受信部と、受信した気象情報を前記地図に重ねて表示する気象情報表示制御部とを備え、表示モニタの１つの画素に対応する地図上の領域に複数の地域の気象情報が存在する場合、前記複数の地域の気象情報の中で、気象情報に係る数値が最大の気象情報を有する地域の気象情報を前記画素に表示する。この地図表示装置は、さらに気象情報受信部により受信した気象情報の中から前記表示モニタに表示される範囲の気象情報を抽出する気象情報抽出部を備え、気象情報表示制御部は、前記抽出した気象情報に基づいて気象情報を前記地図に重ねて表示し、前記地図がスクロールされているときは、既に抽出されている気象情報に基づいて気象情報を地図に重ねて表示することが好ましい。気象情報は、単位時間当たりの雨量、積算総雨量、風向き、風力、気温、湿度、単位時間当たりの日照時間、気圧、湿度のいずれかである。
【発明の効果】
【０００５】
本発明によれば、表示モニタの１つの画素に対応する地図上の領域に複数の地域の気象情報が存在する場合、複数の地域の気象情報の中で、気象情報に係る数値が最大の気象情報を有する地域の気象情報をその画素に表示するようにした。したがって、詳細な気象情報を広域地図に重ねて表示する処理を速くすることができる。
【図面の簡単な説明】
【０００６】
【図１】本発明の実施形態におけるナビゲーション装置の構成を示すブロック図である。
【図２】表示モニタの画面解像度を説明するための図である。
【図３】衛星ラジオ放送の気象情報を説明するための図である。
【図４】本発明の実施形態における雨量データ表示処理を説明するための図である。
【図５】表示モニタの各画素に表示する雨量データの決定方法を説明するための図である。
【図６】本発明の実施形態における雨量データ表示処理を説明するためのフローチャートである。
【図７】地図をスクロールするときの表示モニタの各画素に表示する雨量データの決定方法を説明するための図である。
【図８】地図をスクロールするときの表示モニタの各画素に表示する雨量データの決定方法を説明するための図である。
【図９】地図をスクロールするときの表示モニタの各画素に表示する雨量データの決定方法を説明するための図である。
【発明を実施するための最良の形態】
【０００７】
図１は、本発明の実施形態によるナビゲーション装置１を示す。このナビゲーション装置１は、衛星ラジオ放送による気象情報を受信し、その気象情報を地図に重ねて表示モニタ１６に表示することができる。既知の衛星ラジオ放送として、たとえば、シリウスサテライトラジオなどがある。ナビゲーション装置１は、制御回路１１、ＲＯＭ１２、ＲＡＭ１３、現在地検出装置１４、画像メモリ１５、表示モニタ１６、スピーカ１７、入力装置１８、タッチパネル１９、タッチパネルコントロール部１１０、衛星ラジオ受信部１１１、受信メモリ１１２およびディスクドライブ１１３を有している。ディスクドライブ１１３には、地図データが記憶されたＤＶＤ−ＲＯＭ１１４が装填されている。【０００８】
制御回路１１は、マイクロプロセッサ及びその周辺回路からなり、ＲＡＭ１３を作業エリアとしてＲＯＭ１２に格納された制御プログラムを実行して各種の制御を行う。この制御回路１１がＤＶＤ−ＲＯＭ１１４に記憶された地図データに基づいて所定の経路探索処理を行うと、その処理結果が推奨経路として表示モニタ１６に表示される。【０００９】
現在地検出装置１４は車両の現在地を検出する装置である。現在地検出装置１４は、振動ジャイロ１４ａ、車速センサ１４ｂ、ＧＰＳ（Global Positioning System）センサ１４ｃなどからなる。振動ジャイロ１４ａは、車両の進行方向を検出する。車速センサ１４ｂは、車速を検出する。ＧＰＳセンサ１４ｃはＧＰＳ衛星からのＧＰＳ信号を検出する。ナビゲーション装置１は、この現在地検出装置１４により検出された車両の現在地に基づいて、地図の表示範囲や経路探索開始点などを決定する。また、車両の現在地を地図上に自車位置マークとして表示する。【００１０】
画像メモリ１５は、表示モニタ１６に表示するための画像データを格納する。この画像データは道路地図描画用データや各種の図形データからなる。それらはＤＶＤ−ＲＯＭ１１４に記憶された地図データなどに基づいて、制御回路１１において適宜生成される。ナビゲーション装置１は、このようにして生成された画像データを用いることによって地図表示などを行うことができる。【００１１】
ディスクドライブ１１３は、ＤＶＤ−ＲＯＭ１１４から地図データを読み出す。地図データは、地図表示用データ、経路探索用データなどを含む。地図表示用データおよび経路探索用データには、地図データに格納されている道路のリンク情報およびノード情報が含まれている。地図表示用データは、広域から詳細まで７段階の縮尺の地図データを有する。これにより、ユーザの要求にしたがって、表示地図の縮尺を７段階に変更することができる。なお、ＤＶＤ−ＲＯＭ１１４以外の他の記録メディア、たとえばＣＤ−ＲＯＭやハードディスクなどより地図データを読み出してもよい。【００１２】
表示モニタ１６は、地図データなどの各種情報に基づいて、自車位置付近の地図などの各種情報を画面表示としてユーザに提供する。表示モニタ１６の画面解像度は、図２に示すように、８００×４８０画素である。したがって、表示モニタ１６の表示画面を４×４の１６分割にすると、図２に示すように、１つの分割画面は２００×１２０画素になる。なお、ひとつの画素を認識しやすくするために、図２は、実際の解像度より低い解像度で表示画面を表示している。図３の解像度との差を明確にするため、スピーカ１７は、各種入力操作をユーザに指示したり、経路誘導したりするための音声を出力する。【００１３】
入力装置１８は、ユーザが各種コマンドの設定などするための操作キーを有し、操作パネル上のボタンスイッチやパネル周囲のハードスイッチなどによって実現される。ユーザが各種コマンドの設定などするための操作キーを有し、操作パネル上のボタンスイッチやパネル周囲のハードスイッチなどによって実現される。また、入力装置１８を操作することによって、表示モニタ１６に表示されている地図の縮尺率を変更することができる。たとえば、１／５万の地図の縮尺率は、１／５００００である。ユーザは、表示モニタ１６の表示画面の指示やスピーカ１７からの音声指示にしたがって入力装置１８を手動で操作することにより、目的地を設定する。また、入力装置１８を操作することによって、衛星ラジオ放送を選局することができる。【００１４】
目的地がユーザにより設定されると、ナビゲーション装置１は現在地検出装置１４により検出された現在地を出発地とし、目的地までの経路演算を所定のアルゴリズムに基づいて行う。このようにして求められた経路（以下、推奨経路という）は、表示形態、たとえば表示色などを変えることによって、ほかの道路とは区別して画面表示される。これにより、ユーザは地図上の推奨経路を画面上で認識することができる。また、ナビゲーション装置１は、推奨経路にしたがって車両が走行できるように、ユーザに対して画面や音声などによる進行方向指示を行い、車両を経路誘導する。【００１５】
タッチパネル１９は、表示モニタ１５の表面に積層される透明のタッチスイッチである。表示モニタ１６に表示される画像はタッチパネル１９を通して表示される。したがって、表示モニタ１６の表示画面を押圧するとタッチパネル１９が押圧される。タッチパネル１９は、タッチパネル１９上の操作位置に応じた信号をタッチパネルコントロール部１１０に送出する。タッチパネルコントロール部１１０はタッチパネル１９の押圧位置を算出する。【００１６】
表示モニタ１６に表示された各種ボタンや表示メニューなどを指などで押圧するとタッチパネル１９は押圧される。そして、各種ボタンや表示メニューに定義された処理が実行される。また、表示モニタ１６に表示されている地図を押圧すると、タッチパネル１９が押圧され、押圧した位置が表示モニタ１６の表示画面の中央に表示されるように地図がスクロールされる。【００１７】
衛星ラジオ受信部１１１は、図示しない衛星ラジオ局から人工衛星を介して放送される衛星ラジオ放送を受信し、制御回路１１に出力する。受信した衛星ラジオ放送は、スピーカ１７より出力される。また、衛星ラジオ受信部１１１によって受信された衛星ラジオ放送の気象情報は受信メモリ１１２に記憶される。【００１８】
衛星ラジオ放送の気象情報は、天気図の情報や、台風、ハリケーンなどの嵐の情報、気象レーダによる雨量分布の情報、各観測地点における風向きや風力の情報などを有する。天気図の情報として、たとえば、高気圧あるいは低気圧の位置（緯度・経度）の情報、温暖前線あるいは寒冷前線の位置情報、等圧線の情報、気圧の情報などが含まれる。嵐の情報には、台風、ハリケーン、竜巻、霰、雹、雷雨などの位置や移動方向、進路予想の情報などが含まれる。雨量分布の情報には、雨が降っている位置とその位置における雨量の情報などが含まれる。【００１９】
衛星ラジオ放送の気象情報は、地理上の所定領域ごとに分割されている。たとえば、アメリカ合衆国の場合、図３に示すように国土が４×４の１６分割され、分割された領域の気象情報が集まって、１つの衛星ラジオ放送における気象情報となる。以下、この分割された領域を大タイルと呼ぶ。図３に示すように、大タイル２０は１０２４×５１２のメッシュ状にさらに分割され、メッシュ状に分割された領域にしたがって、大タイル２０に対応する気象情報は分割される。大タイルをさらに分割したものを小タイルと呼ぶ。なお、ひとつの小タイルを認識しやすくするために、図３は、実際の解像度より低い解像度で表示画面を表示している。衛星ラジオ放送では、全ての大タイルにおける気象情報を一括に送信するのではなく、複数の大タイルにおける気象情報ごとに気象情報を順次送信する。【００２０】
受信メモリ１１２は、フラッシュメモリやハードディスクなどの書き換え可能な不揮発性記録媒体によって構成される。受信メモリ１１２は、衛星ラジオ受信部１１１によって受信された気象情報を記憶する。受信メモリ１１２に記憶された気象情報は、アイコン、雨量分布、等圧線、寒冷前線などとして地図上に表示される。【００２１】
次に、図４を参照して、本発明の実施形態における雨量データ表示処理について説明する。図４（ａ）は、受信した気象情報の雨量データをそのまま地図上に表示したものである。この雨量データは、各小タイルにおける１時間あたりの雨量のデータである。上述したように、１小タイルは１大タイルを１０２４×５１２で分割したものである。それぞれの小タイルの雨量データを表示すると、図４（ａ）に示すように、詳細な雨量分布を地図上に表示することができる。【００２２】
図４（ｂ）は、図４（ａ）の雨量分布を重畳表示した地図を表示モニタ１６で表示したものである。表示モニタ１６に表示した雨量分布の解像度は、気象情報の雨量データをそのまま地図上に表示したものに比べて低い。これは、表示モニタ１６の画面解像度が気象情報の雨量分布の解像度に比べて低いためである。図２に示すように、表示モニタ１６の表示画面を４×４の１６分割にすると１つの分割画面は２００×１２０画素になるので、２００×１２０画素で１大タイル分の雨量分布を表示しなければならない。一方、雨量データは小タイルごとに存在するので、１大タイルあたり１０２４×５１２の雨量データが存在することになる。そうすると、（５〜６）×（４〜５）の雨量データを１つの画素で表示しなくてはならない。【００２３】
１つの画素には１つの雨量の情報しか表示できない。そこで、本発明の実施形態における雨量データ表示処理では、図５に示すように、１つの画素に対応する（５〜６）×（４〜５）個の雨量データ５０のうち、最大のものを１つの画素６０に表示する。この場合、１つの画素に対応する雨量データ５０の中で、３０ｍｍが最大値であるので、画素６０には３０ｍｍの雨量を表示することになる。したがって、このようにして、１大タイル分の気象情報を表示モニタ１６に表示する。以上のようにして、（５〜６）×（４〜５）の雨量データを１つの画素で表示することになるので、表示モニタ１６に表示した雨量分布の解像度は、気象情報の雨量データをそのまま地図上に表示したものに比べて低くなる。【００２４】
次に、図６のフローチャートを参照して、本発明の実施形態における雨量データ表示処理について説明する。図６の処理は、不図示のメニューから雨量データ表示が選択されるとスタートするプログラムであり、制御回路１１により実行される。【００２５】
ステップＳ６０１では、受信メモリ１１２に記憶した気象情報の中から表示モニタ１６の表示範囲に対応する雨量データを抽出する。ステップＳ６０２では、表示モニタ１６の画素に対応する領域ごとに雨量データを分割する。ステップＳ６０３では、分割されたそれぞれの雨量データの中の最大値を抽出する。ステップＳ６０４では、抽出した最大値を用いて、表示モニタ１６の画素に対応する表示用雨量データを作成する。ステップＳ６０５では、表示用雨量データを用いて雨量分布を重畳表示した地図画面の画像データを作成する。ステップＳ６０６では、雨量分布を重畳表示した地図画面を表示モニタ１６に表示する。【００２６】
以上の本発明の実施の形態によるナビゲーション装置１は次のような作用効果を奏する。
表示モニタ１６の１つの画素に対応する地図上の領域に複数の地域の雨量データが存在する場合、複数の地域の雨量データの中で、雨量が最大の雨量データを有する地域の雨量をその画素に表示するようにした。したがって、詳細な気象情報を広域地図に重ねて表示する処理を速くすることができる。また、最大の雨量を表示することによって、ユーザの注意を喚起することができる。【００２７】
以上の実施の形態を次のように変形することができる。
（１）雨量分布を表示した地図のスクロール中は、受信メモリ１１２に記憶した気象情報の中から新たに表示モニタ１６に表示された表示範囲の雨量データを抽出するのではなく、すでに抽出した雨量データのみを用いて雨量分布を表示するようにしてもよい。これにより、地図のスクロールに合わせて雨量分布を表示することができる。たとえば、図７に示すように、１つの画素６０ａ〜６０ｅに３×３の小タイルの雨量データが存在するものとする。地図をスクロールしたとき、受信メモリ１１２に記憶した気象情報の中から新たな雨量データを抽出しないと、図８に示すように、画素６０ａに対応する領域に存在する小タイルの雨量データは４つ、画素６０ｂ〜６０ｅに対応する領域に存在する小タイルの雨量データは６つになる。この場合、画素６０ａは４つの小タイルに係る雨量の中で最大の雨量を表示し、画素６０ｂ〜６０ｅは６つの小タイルに係る雨量の中で最大の雨量を表示する。そして、地図のスクロールが終了すると、図９に示すように、受信メモリ１１２に記憶した気象情報の中から表示モニタ１６の表示範囲の雨量データを抽出し、画素６０ａ〜６０ｅには、９つの小タイルに係る雨量の中の最大の雨量が表示される。【００２８】
（２）地図に重ねて表示する気象情報は単位時間当たりの雨量に限定されない。たとえば、気温、湿度、積算総雨量、単位時間当たりの日照時間、気圧、湿度、風向き、風速などであってもよい。これらの場合も、表示モニタ１６の１つの画素に対応する地図上の領域に複数の地域の気象情報が存在する場合、複数の地域の気象情報の中で、気象情報に係る数値が最大の気象情報を有する地域の気象情報をその画素に表示すことによって、詳細な気象情報を広域地図に重ねて表示する処理を速くすることができる。【００２９】
（３）本発明は、地図表示装置であればナビゲーション装置１に限定されない。たとえば、地図表示機能付き携帯電話についても、気象情報を表示するとき、上述のように表示するようにしてもよい。【００３０】
以上の説明はあくまで一例であり、発明は、上記の実施形態に何ら限定されるものではない。
【図１】
2009122588.tif 000003
【図２】
2009122588.tif 000004
【図３】
2009122588.tif 000005
【図４】
2009122588.tif 000006
【図５】
2009122588.tif 000007
【図６】
2009122588.tif 000008
【図７】
2009122588.tif 000009
【図８】
2009122588.tif 000010
【図９】
2009122588.tif 000011
【国際調査報告】
2009122588.tif 000012
2009122588.tif 000013